(57)【要約】【課題】除霜時間が短く、快適性に優れ、圧縮機の寿命が長い空気調和機を提供する。【解決手段】圧縮機２と、四方弁３と、室外熱交換器４と、冷媒の流量を制御する膨張弁５と、室内熱交換器６で冷媒の循環経路が構成され、圧縮機２の冷媒流出側に設けられた吐出温度検出手段９と、圧縮機２の冷媒流入側に設けられた吸入温度検出手段８と、室内熱交換器６の風上側の所定位置に設けられた室内吸込温度検出手段１４とを有する空気調和機において、除霜運転時に吸入温度検出手段８で検知する吸入温度がある一定値になるように膨張弁５の開度を制御するもので、最適な吸入温度（ある一定値）になるように膨張弁５の開度を制御することにより、吸入圧力を高く運転でき、除霜時間を短くし、快適性を向上させ、また、吸入圧力が負圧にならないため、圧縮機の寿命の向上が図れる。【選択図】図１
2010101570.tif 000002
【特許請求の範囲】
【請求項１】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記圧縮機の冷媒流入側に設けられた吸入温度検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に前記吸入温度検出手段で吸入温度を検知して、その吸入温度がある一定値になるように前記膨張弁の開度を制御することを特徴とする空気調和機。
【請求項２】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段、前記圧縮機の冷媒流入側に設けられた吸入圧力検出手段と、前記室外熱交換器の所定位置に設けられた室外熱交温度検出手段と、前記室外熱交換器の風上側の所定位置に設けられた室外吸込温度検出手段、前記室内熱交換器の所定位置に設けられた室内熱交温度検出手段と、前記室内熱交換器の風上側の所定位置に設けられた室内吸込温度検出手段とを有する空気調和機において、除霜運転時に前記吸入圧力検出手段で吸入圧力を検知して、その吸入圧力がある一定値になるように前記膨張弁の開度を制御することを特徴とする空気調和機。
【請求項３】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記圧縮機の冷媒流入側に設けられた吸入温度検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に前記吸入温度検出手段で検知された吸入温度と前記室内熱交温度検出手段で検知された室内熱交温度との差で求まる吸入過熱度がある一定値になるように、前記膨張弁の開度を制御することを特徴とする空気調和機。
【請求項４】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記圧縮機の冷媒流入側に設けられた吸入温度検出手段および吸入圧力検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記吸入温度検出手段で検知された吸入温度と、前記吸入圧力検出手段で検知された吸入圧力から求まる飽和温度との差で求まる吸入過熱度がある一定値になるように、前記膨張弁の開度を制御することを特徴とする空気調和機。
【請求項５】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調
和機において、除霜運転時に前記吐出温度検出手段で検知された吐出温度と前記室外熱交温度検出手段で検知された室外熱交温度との差で求まる吐出過熱度がある一定値になるように前記膨張弁の開度を制御することを特徴とする空気調和機。
【請求項６】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段および吐出圧力検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記吐出温度検出手段で検知された吐出温度と前記吐出圧力検出手段で検知された吐出圧力から求まる飽和温度との差で求まる吐出過熱度がある一定値になるように、前記膨張弁の開度を制御することを特徴とする空気調和機。
【請求項７】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記室外熱交換器の所定位置に設けられた室外熱交温度検出手段と、前記室外熱交換器の出口側に設けられた室外熱交出口温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記室外熱交温度検出手段で検知された室外熱交温度と前記室外熱交出口温度検出手段で検知された室外熱交出口温度との差で求まる過冷却度がある一定値になるように前記膨張弁の開度を制御することを特徴とする空気調和機。
【請求項８】
圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段および吐出圧力検出手段と、前記室外熱交換器の所定位置に設けられた室外熱交温度検出手段と、前記室外熱交換器の出口側に設けられた室外熱交出口温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記吐出圧力検出手段で検知された吐出圧力から求まる飽和温度と前記室外熱交出口温度検出手段で検知された室外熱交出口温度との差で求まる過冷却度がある一定値になるように、前記膨張弁の開度を制御することを特徴とする空気調和機。
【発明の詳細な説明】
【技術分野】
【０００１】
本発明は、除霜運転時に除霜時間の短縮を行い、快適性を向上させ、圧縮機の寿命の向上を図る空気調和機に関するものである。
【背景技術】
【０００２】
従来のこの種の空気調和機として図７に示すようなものがある（例えば、特許文献１参照）。
【０００３】
図７は、上記特許文献１に記載された従来の空気調和機の冷凍サイクル図である。
【０００４】
図７において、従来の空気調和機は、空気調和機本体１と、圧縮機２、冷媒の循環方向を切り換える四方弁３、室外熱交換器４、前記冷媒の流量を制御する膨張弁５、冷媒配管７および室内熱交換器６等で構成されると共に、室内機１６と室外機１９に分かれている。
【０００５】
１０は、室外熱交換器４を通過する空気流を発生させる室外ファン、１２は、室内熱交換器６を通過する空気流を発生させる室内ファンである。また、９は、圧縮機２の冷媒流出側に設けられた吐出温度検出手段、１１は、室外熱交換器４の所定位置に設けられ室外熱交換器４の温度を検出する室外熱交温度検出手段、２０は、室外熱交換器４の風上側の所定位置に設けられ、室外の温度を検出する室外吸込温度検出手段、１３は、室内熱交換器６の所定位置に設けられ室内熱交換器６の温度を検出する室内熱交温度検出手段、１４は、室内熱交換器６の風上側の所定位置に設けられ室内熱交換器６に流入する室内の空気の温度を検出する室内吸込温度検出手段である。１５は、リモートコントローラ１７の信号を受信する室内制御器、１８は、室内制御器１５と交信を行う室外制御器である。
【０００６】
暖房時、外気温が低い場合、室外熱交換器４で凝縮した凝縮水は、徐々に室外熱交換器４に着霜し始めるため、四方弁３を切替え冷房運転とし、室外熱交換器４に着霜した霜をとかすようにしている。
【０００７】
また、除霜中圧縮機にガス冷媒を注入したり、あるいは周波数制御式圧縮機を具備した空気調和機で、除霜時最高周波数で運転を行い、圧縮機の入力を増大させ除霜時間を短縮するようにしたものも提案されている（例えば、特許文献２参照）。
【特許文献１】特開平１１−５１５００号公報
【特許文献２】特公昭５５−２０３３２号公報
【発明の開示】
【発明が解決しようとする課題】
【０００８】
しかしながら、前記従来の空気調和機の構成では、除霜運転時に、前記膨張弁５の開度が一定であるため、除霜時に圧縮機２が最高周波数固定で運転された場合、吸入圧力が極端に落ちてしまい、圧縮機２の吸入側に冷媒が戻らず、そのため逆に圧縮機２の入力が上がらず除霜に寄与する圧縮機入力が低下し、除霜時間が長くなるという課題を有していた。また、特に、外気温度が低い場合には、除霜時吸入圧力が負圧になる領域（時間）がひろがり、さらに除霜時間が長くなると共に、圧縮機２の吸入側に過冷却の冷媒が戻って来るため圧縮機２の寿命を低下させるという課題も有していた。
【０００９】
本発明は、前記従来の課題を解決するもので、除霜運転時に、除霜時間を短縮し、快適性を向上させ、圧縮機の寿命の向上を図る空気調和機を提供することを目的とする。
【課題を解決するための手段】
【００１０】
前記従来の課題を解決するために、本発明の空気調和機は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記圧縮機の冷媒流入側に設けられた吸入温度検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に前記吸入温度検出手段で吸入温度を検知して、その吸入温度がある一定値になるように前記膨張弁の開度を制御するもので、除霜運転時圧縮機の吸入温度を検出しながら吸入温度がある一定値を下回ると膨張弁の開度を大きくし、最適な吸入温度（ある一定値）になるように膨張弁の開度を制御することにより、吸入圧力を高く運転できるので、除霜時間の短縮が図れ、快適性を向上させることができる。また、吸入圧力が負圧にならないため、圧縮機の寿命の向上を図ることができる。
【発明の効果】
【００１１】
本発明の空気調和機は、除霜運転時に除霜時間の短縮を行い、快適性を向上させ、圧縮機の寿命の向上を図ることができる。
【発明を実施するための最良の形態】
【００１２】
第１の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記圧縮機の冷媒流入側に設けられた吸入温度検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に前記吸入温度検出手段で吸入温度を検知して、その吸入温度がある一定値になるように前記膨張弁の開度を制御するもので、除霜運転時圧縮機の吸入温度を検出しながら吸入温度がある一定値を下回ると膨張弁の開度を大きくし、最適な吸入温度（ある一定値）になるように膨張弁の開度を制御することにより、吸入圧力を高く運転できるので、除霜時間の短縮が図れ、快適性を向上させることができる。また、吸入圧力が負圧にならないため、圧縮機の寿命の向上を図ることができる。
【００１３】
第２の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段、前記圧縮機の冷媒流入側に設けられた吸入圧力検出手段と、前記室外熱交換器の所定位置に設けられた室外熱交温度検出手段と、前記室外熱交換器の風上側の所定位置に設けられた室外吸込温度検出手段、前記室内熱交換器の所定位置に設けられた室内熱交温度検出手段と、前記室内熱交換器の風上側の所定位置に設けられた室内吸込温度検出手段とを有する空気調和機において、除霜運転時に前記吸入圧力検出手段で吸入圧力を検知して、その吸入圧力がある一定値になるように前記膨張弁の開度を制御するもので、除霜運転時圧縮機の吸入圧力を検出しながら吸入圧力がある一定値を下回ると膨張弁の開度を大きくし、最適な吸入圧力（ある一定値）になるように膨張弁の開度を制御することにより、吸入圧力を高く運転できるので、除霜時間の短縮が図れ、快適性を向上させることができる。また、吸入圧力が負圧にならないため、圧縮機の寿命の向上を図ることができる。
【００１４】
第３の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記圧縮機の冷媒流入側に設けられた吸入温度検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に前記吸入温度検出手段で検知された吸入温度と前記室内熱交温度検出手段で検知された室内熱交温度との差で求まる吸入過熱度がある一定値になるように、前記膨張弁の開度を制御するもので、吸入圧力を高く運転できるので、除霜時間の短縮が図れ、快適性を向上させることができる。また、吸入圧力が負圧にならないため、圧縮機の寿命の向上を図ることができる。
【００１５】
第４の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記圧縮機の冷媒流入側に設けられた吸入温度検出手段および吸入圧力検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記吸入温度検出手段で検知された吸入温度と、前記吸入圧力検出手段で検知された吸入圧力から求まる飽和温度との差で求まる吸入過熱度がある一定値になるように、前記膨張弁の開度を制御するもので、吸入圧力を高く運転できるので、除霜時間の短縮が図れ、快適性を向上させることができる。また、吸入圧力が負圧にならないため、圧縮機の寿命の向上を図ることができる。さらに、第３の発明より、吸入過熱度を正確に検知できるため、運転効率の向上を図ることができる。
【００１６】
第５の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に前記吐出温度検出手段で検知された吐出温度と前記室外熱交温度検出手段で検知された室外熱交温度との差で求まる吐出過熱度がある一定値になるように前記膨張弁の開度を制御するもので、吸入圧力を高く運転できるので、除霜時間の短縮が図れ、快適性を向上させることができる。また、吸入圧力が負圧にならないため、圧縮機の寿命の向上を図ることができる。
【００１７】
第６の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段および吐出圧力検出手段と、前記室外熱交換器の所定位置に設けられた室外熱交温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記吐出温度検出手段で検知された吐出温度と前記吐出圧力検出手段で検知された吐出圧力から求まる飽和温度との差で求まる吐出過熱度がある一定値になるように、前記膨張弁の開度を制御するもので、除霜運転時吐出過熱度を検出しながら、最適な吐出過熱度（ある一定値）になるように膨張弁の開度を制御することにより、吸入圧力を高く運転できるので、除霜時間
の短縮が図れ、快適性を向上させることができる。また、吸入圧力が負圧にならないため、圧縮機の寿命の向上を図ることができる。さらに、第５の発明より、吐出過熱度を正確に検知できるため、運転効率の向上を図ることができる。
【００１８】
第７の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段と、前記室外熱交換器の所定位置に設けられた室外熱交温度検出手段と、前記室外熱交換器の出口側に設けられた室外熱交出口温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記室外熱交温度検出手段で検知された室外熱交温度と前記室外熱交出口温度検出手段で検知された室外熱交出口温度との差で求まる過冷却度がある一定値になるように前記膨張弁の開度を制御するもので、除霜運転時過冷却度を検出しながら、最適な過冷却度（ある一定値）になるように膨張弁の開度を制御することにより、吸入圧力を高く運転できるので、除霜時間の短縮が図れ、快適性を向上させることができる。また、吸入圧力が負圧にならないため、圧縮機の寿命の向上を図ることができる。
【００１９】
第８の発明は、圧縮機と、冷媒の循環方向を切り換える四方弁と、室外熱交換器と、前記冷媒の流量を制御する膨張弁と、室内熱交換器により冷媒の循環経路が構成され、少なくとも前記圧縮機の冷媒流出側に設けられた吐出温度検出手段および吐出圧力検出手段と、前記室外熱交換器の所定位置に設けられた室外熱交温度検出手段と、前記室外熱交換器の出口側に設けられた室外熱交出口温度検出手段と、前記室外熱交換器の風上側の所定位置に設けられた室外吸込温度検出手段と、前記室内熱交換器の所定位置に設けられた室内熱交温度検出手段と、前記室内熱交換器の風上側の所定位置に設けられた室内吸込温度検出手段とを有する空気調和機において、除霜運転時に、前記吐出圧力検出手段で検知された吐出圧力から求まる飽和温度と前記室外熱交出口温度検出手段で検知された室外熱交出口温度との差で求まる過冷却度がある一定値になるように、前記膨張弁の開度を制御するもので、除霜運転時過冷却度を検出しながら、最適な過冷却度（ある一定値）になるように膨張弁の開度を制御することにより、吸入圧力を高く運転できるので、除霜時間の短縮が図れ、快適性を向上させることができる。また、吸入圧力が負圧にならないため、圧縮機の寿命の向上を図ることができる。さらに、第７の発明より、過冷却度を正確に検知できるため、運転効率の向上を図ることができる。
【００２０】
以下、本発明の実施の形態について、図面を参照しながら説明する。なお、この実施の形態によって本発明が限定されるものではない。
【００２１】
（実施の形態１）
図１は、本発明の実施の形態１における空気調和機の冷凍サイクル図である。
【００２２】
図１において、本実施の形態における空気調和機は、圧縮機２の冷媒流入側に、吸入温度検出手段８を追加して設けたもので、それ以外は、従来の空気調和機（図７）と同一であるので、同一部品に同一符号を付してその説明を省略する。また、冷凍サイクルの流れについても同様であるため説明を省略する。
【００２３】
暖房時、外気温が低い場合、室外熱交換器４で凝縮した凝縮水は、徐々に室外熱交換器４に着霜し始めるため四方弁３を切替え冷房運転とし、室外熱交換器４に着霜した霜を溶かす。そこで、除霜運転時に、吸入温度検出手段８で吸入温度を検知して、吸入温度がある一定値を下回ると、膨張弁５の開度を大きくし、吸入温度がある一定値を上回ると膨張弁５の開度を小さくして、最適な吸入温度（ある一定値）になるように膨張弁５の開度を
制御するものである。
【００２４】
以上のように、本実施の形態においては、最適な吸入温度（ある一定値）になるように膨張弁５の開度を制御することにより、吸入圧力を高く運転できるので、除霜時間の短縮が図れ、快適性を向上させることができる。また、吸入圧力が負圧にならないため、圧縮機２の寿命の向上を図ることができる。
【００２５】
上記実施の形態では、除霜運転時に、吸入温度に応じて膨張弁５の開度を調節するようにしたが、吸入温度検出手段８で検知される吸入温度と室内熱交温度検出手段１３で検知される室内熱交温度との差で求まる吸入過熱度がある一定値になるように膨張弁５の開度を制御するようにしても良い。
【００２６】
この場合は、除霜運転時吸入過熱度を検出しながら、最適な吸入過熱度（ある一定値）になるように膨張弁５の開度を制御することにより、同様に、吸入圧力を高く運転できるので、除霜時間の短縮が図れ、快適性を向上させることができる。また、吸入圧力が負圧にならないため、圧縮機２の寿命の向上を図ることができる。
【００２７】
（実施の形態２）
図２は、本発明の実施の形態２における空気調和機の冷凍サイクル図である。
【００２８】
図２において、本実施の形態における空気調和機は、圧縮機２の冷媒流入側に、吸入圧力検出手段２１を追加して設けたもので、それ以外は、従来の空気調和機（図７）と同一であるので、同一部品に同一符号を付してその説明を省略する。また、冷凍サイクルの流れについても同様であるため説明を省略する。
【００２９】
暖房時、外気温が低い場合、室外熱交換器４で凝縮した凝縮水は、徐々に室外熱交換器４に着霜し始めるため、四方弁３を切替え冷房運転とし、室外熱交換器４に着霜した霜を溶かす。そこで、除霜運転時に、吸入圧力検出手段２１で吸入圧力を検知して、吸入圧力がある一定値を下回ると膨張弁５の開度を大きくし、吸入圧力がある一定値を上回ると膨張弁５の開度を小さくして、最適な吸入圧力（ある一定値）になるように膨張弁５の開度を制御するようにしたものである。
【００３０】
以上のように、本実施の形態においては、最適な吸入圧力（ある一定値）になるように膨張弁５の開度を制御することにより、吸入圧力を高く運転できるので、除霜時間の短縮が図れ、快適性を向上させることができる。また、吸入圧力が負圧にならないため、圧縮機２の寿命の向上を図ることができる。
【００３１】
（実施の形態３）
図３は、本発明の実施の形態３における空気調和機の冷凍サイクル図である。
【００３２】
図３において、本実施の形態における空気調和機は、圧縮機２の冷媒流入側に、吸入温度検出手段８と吸入圧力検出手段２１を追加して設けたもので、それ以外は、従来の空気調和機（図７）と同一であるので、同一部品に同一符号を付してその説明を省略する。また、冷凍サイクルの流れについても同様であるため説明を省略する。
【００３３】
暖房時、外気温が低い場合、室外熱交換器４で凝縮した凝縮水は徐々に室外熱交換器４に着霜し始めるため四方弁３を切替え冷房運転とし、室外熱交換器４に着霜した霜を溶かす。そこで、除霜運転時に、吸入温度検出手段８で検知された吸入温度と吸入圧力検出手段２１で検知された吸入圧力から求まる飽和温度との差で求まる吸入過熱度がある一定値になるように膨張弁５の開度を制御するものである。
【００３４】
以上のように、本実施の形態においては、除霜運転時、吸入過熱度を検出しながら、最適な吸入過熱度（ある一定値）になるように膨張弁５の開度を制御することにより、吸入圧力を高く運転できるので、除霜時間の短縮が図れ、快適性を向上させることができる。また、吸入圧力が負圧にならないため、圧縮機２の寿命の向上を図ることができる。さらに、実施の形態１の他の例に較べ、吸入過熱度を正確に検知できるため、運転効率の向上を図ることができる。
【００３５】
（実施の形態４）
本発明の実施の形態４における空気調和機の冷凍サイクル図は、従来の空気調和機の冷凍サイクル図（図７）と同じであるが、以下のように、従来例とは、膨張弁５の制御方法が異なるものである。
【００３６】
暖房時外気温が低い場合、室外熱交換器４で凝縮した凝縮水は徐々に室外熱交換器４に着霜し始めるため四方弁３を切替え冷房運転とし、室外熱交換器４に着霜した霜を溶かす。そこで、本実施の形態では、除霜運転時に、吐出温度検出手段９で検知された吐出温度と室外熱交温度検出手段１１で検知された室外熱交換器４の温度との差で求まる吐出過熱度がある一定値になるように膨張弁５の開度を制御するようにしたものである。
【００３７】
以上のように、本実施の形態においては、除霜運転時吐出過熱度を検出しながら、最適な吐出過熱度（ある一定値）になるように膨張弁５の開度を制御することにより、吸入圧力を高く運転できるので、除霜時間の短縮が図れ、快適性を向上させることができる。また、吸入圧力が負圧にならないため、圧縮機２の寿命の向上を図ることができる。
【００３８】
（実施の形態５）
図４は、本発明の実施の形態５における空気調和機の冷凍サイクル図である。本実施の形態における空気調和機は、図４に示すように、圧縮機２の冷媒流出側に、吐出圧力検出手段２２を追加して設けたもので、それ以外は、従来の空気調和機（図７）と同一であるので、同一部品に同一符号を付してその説明を省略する。また、冷凍サイクルの流れについても同様であるため説明を省略する。
【００３９】
図４において、暖房時外気温が低い場合、室外熱交換器４で凝縮した凝縮水は徐々に室外熱交換器４に着霜し始めるため四方弁３を切替え冷房運転とし、室外熱交換器４に着霜した霜を溶かす。そこで、除霜運転時に、吐出温度検出手段９で検知される吐出温度と、吐出圧力検出手段２２で検知される吐出圧力から求まる飽和温度との差で求まる吐出過熱度がある一定値になるように膨張弁５の開度を制御するものである。
【００４０】
以上のように、本実施の形態においては、除霜運転時吐出過熱度を検出しながら、最適な吐出過熱度（ある一定値）になるように膨張弁５の開度を制御することにより、吸入圧力を高く運転できるので、除霜時間の短縮が図れ、快適性を向上させることができる。また、吸入圧力が負圧にならないため、圧縮機２の寿命の向上を図ることができる。さらに、実施の形態４より、吐出過熱度を正確に検知できるため、運転効率の向上を図ることができる。
【００４１】
（実施の形態６）
図５は、本発明の実施の形態６における空気調和機の冷凍サイクル図である。
【００４２】
本実施の形態における空気調和機は、図５に示すように、室外熱交換器４の出口側に、室外熱交出口温度検出手段２３を追加して設けたもので、それ以外は、従来の空気調和機（図７）と同一であるので、同一部品に同一符号を付してその説明を省略する。また、冷
凍サイクルの流れについても同様であるため説明を省略する。
【００４３】
図５において、暖房時、外気温が低い場合、室外熱交換器４で凝縮した凝縮水は、徐々に室外熱交換器４に着霜し始めるため四方弁３を切替え冷房運転とし、室外熱交換器４に着霜した霜を溶かす。
【００４４】
そこで、除霜運転時に室外熱交温度検出手段１１で検知された室外熱交温度と室外熱交出口温度検出手段２３で検知された室外熱交出口温度との差で求まる過冷却度がある一定値になるように膨張弁５の開度を制御するものである。
【００４５】
以上のように、本実施の形態においては、除霜運転時過冷却度を検出しながら、最適な過冷却度（ある一定値）になるように膨張弁５の開度を制御することにより、吸入圧力を高く運転できるので、除霜時間の短縮が図れ、快適性を向上させることができる。また、吸入圧力が負圧にならないため、圧縮機２の寿命の向上を図ることができる。
【００４６】
（実施の形態７）
図６は、本発明の実施の形態７における空気調和機の冷凍サイクル図である。
【００４７】
本実施の形態における空気調和機は、図６に示すように、圧縮機２の冷媒流出側に、吐出圧力検出手段２２を、室外熱交換器４の出口側に、室外熱交出口温度検出手段２３をそれぞれ追加して設けたもので、それ以外は、従来の空気調和機（図７）と同一であるので、同一部品に同一符号を付してその説明を省略する。また、冷凍サイクルの流れについても同様であるため説明を省略する。
【００４８】
図６において、暖房時、外気温が低い場合、室外熱交換器４で凝縮した凝縮水は、徐々に室外熱交換器４に着霜し始めるため四方弁３を切替え冷房運転とし、室外熱交換器４に着霜した霜を溶かす。
【００４９】
そこで、除霜運転時に吐出圧力検出手段２２で検知された吐出圧力から求まる飽和温度と、室外熱交出口温度検出手段２３で検知された室外熱交出口温度との差で求まる過冷却度がある一定値になるように、膨張弁５の開度を制御するようにしたものである。
【００５０】
以上のように、本実施の形態においては、除霜運転時過冷却度を検出しながら、最適な過冷却度（ある一定値）になるように膨張弁５の開度を制御することにより、吸入圧力を高く運転できるので、除霜時間の短縮が図れ、快適性を向上させることができる。また、吸入圧力が負圧にならないため、圧縮機２の寿命の向上を図ることができる。さらに、実施の形態６より、過冷却度を正確に検知できるため、運転効率の向上を図ることができる。
【産業上の利用可能性】
【００５１】
以上のように、本発明にかかる空気調和機は、除霜運転時に除霜時間の短縮を行い、快適性を向上させ、圧縮機の寿命の向上を図ることが可能となるので、セパレート式空気調和機で、特にインバータ機、一定速機等の用途にも適用できる。
【図面の簡単な説明】
【００５２】
【図１】本発明の実施の形態１における空気調和機の冷凍サイクル図
【図２】本発明の実施の形態２における空気調和機の冷凍サイクル図
【図３】本発明の実施の形態３における空気調和機の冷凍サイクル図
【図４】本発明の実施の形態５における空気調和機の冷凍サイクル図
【図５】本発明の実施の形態６における空気調和機の冷凍サイクル図
【図６】本発明の実施の形態７における空気調和機の冷凍サイクル図
【図７】従来の空気調和機の冷凍サイクル図
【符号の説明】
【００５３】
１    空気調和機（本体）
２    圧縮機
３    四方弁
４    室外熱交換器
５    膨張弁
６    室内熱交換器
７    冷媒配管
８    吸入温度検出手段
９    吐出温度検出手段
１０  室外ファン
１１  室外熱交温度検出手段
１２  室内ファン
１３  室内熱交温度検出手段
１４  室内吸込温度検出手段
１５  室内制御器
１６  室内機
１７  リモートコントローラ
１８  室外制御器
１９  室外機
２０  室外吸込温度検出手段
２１  吸入圧力検出手段
２２  吐出圧力検出手段
２３  室外熱交出口温度検出手段
【図１】
2010101570.tif 000003
【図２】
2010101570.tif 000004
【図３】
2010101570.tif 000005
【図４】
2010101570.tif 000006
【図５】
2010101570.tif 000007
【図６】
2010101570.tif 000008
【図７】
2010101570.tif 000009